Podtech/llm-jp-corpus-v4-ja_patent huggingface dataset:
(57)【要約】      （修正有）【課題】設置や撤去作業が容易な歩行用等の組立式ゴムマットの一単位。【解決手段】組立式ゴムマットの一単位として、所定厚さと大きさの正方形のゴム板の隣合う二辺の各々の長さと厚さの中央位置にゴム板の三分の一の厚さの方形の形状をした水平方向の突出片１を有し、各突出片１の下側の面の左右対称位置に２個の円錐台の形状をした突起２を設けてあり、突出片１のある二辺の各対向辺の中央位置からゴム板内に凹部３を設け、正方形のゴム板を相互に隣接して上下面が一致するように、突出片１を横方向から凹部３に嵌入した場合、突出片１が凹部３と嵌合し突出片１の突起２がゴム板の下面に達するように凹部３を形成しておき、一枚の正方形のゴム板に突出片１と凹部３を各２個存在させ、かつ凹部３入口の下側を下方に拡開していることからなる。【選択図】図１
0003116536.tif 000002
【実用新案登録請求の範囲】
【請求項１】
所定厚さと大きさの正方形のゴム板の隣り合う二辺の各々の長さと厚さの中央位置にゴム板の三分の一の厚さの方形の形状をした水平方向の突出片（１）を有し、各突出片（１）の下側の面の左右対称位置に２個の円錐台の形状をした突起（２）を設けてあり、突出片（１）のある二辺の各対向辺の中央位置からゴム板内に凹部（３）を設け、正方形のゴム板を相互に隣接して上下面が一致するように、突出片（１）を横方向から凹部（３）に嵌入した場合、突出片（１）が凹部（３）と嵌合し突出片（１）の突起（２）がゴム板の下面に達するように凹部（３）を形成しておき、一枚の正方形のゴム板に突出片（１）と凹部（３）を各２個存在させ、かつ凹部（３）入口の下側を下方に拡開していることからなる組立式ゴムマットの一単位。
【考案の詳細な説明】
【技術分野】
【０００１】
本考案は建設工事現場等における歩行用の組立式ゴムマットに関するもので、屋外イベント等での不整地の路面に敷いてもよく、また学校のプールサイドに敷いて転倒防止に用いることもできるものである。
【背景技術】
【０００２】
従来、建設工事現場等における安全確保のため、一般の歩行者通路用にしばしば帯状の合成樹脂製シートやゴム製のマットが敷設されているが、足場の悪い板面等との固定を行わなければならず、それらの作業が容易でなく、労力的に煩雑で、また収納にも嵩張り、取り扱いが容易でなく、設置や撤去、保守点検等において改善が望まれている。
【０００３】
一方、特許情報として、特許文献１には着氷防止効果を有する液状添加剤含有のゴムマットがあり、ゴムマットの表面に液状添加剤が滲出して膜を形成し着氷の防止と剥離をするという。また、特許文献２には歩行者用床面構造として弾性係数の異なる２層の箇所を設けておき、視覚障害者に足裏の感触でその位置を案内するというものがある。また、特許文献３には防滑ゴムマットの提案があり、表面に排水溝と弾性突起とを有し、弾性突起の弾性変形により氷結層を破壊して防滑効果を得るという。特許文献４にはゴム組成物とポリウレタン樹脂を一体にしたゴムマットがあって、路面を覆って使用するものであるという。特許文献５には道路の埋め戻した後に敷設される仮復旧用のマット状転圧体が示されているが、ゴムマットの形状や組み合わせに関するものは見当たらない。
【特許文献１】特開２００３−３２８３０８
【特許文献２】特開２００３−２８６７０９
【特許文献３】特開２００１−３４２６０４
【特許文献４】特開２０００−４３０６９
【特許文献５】特開平１０−３７１１３
【考案の開示】
【考案が解決しようとする課題】
【０００４】
本考案は設置や撤去作業が容易な、歩行用等の組立式ゴムマットの一単位を提供せんとするものである。
【課題を解決するための手段】
【０００５】
ここにおいて本考案者は組立式ゴムマットの一単位として、所定厚さと大きさの正方形のゴム板の隣合う二辺の各々の長さと厚さの中央位置にゴム板の三分の一の厚さの方形の形状をした水平方向の突出片１を有し、各突出片１の下側の面の左右対称位置に２個の円錐台の形状をした突起２を設けてあり、突出片１のある二辺の各対向辺の中央位置からゴム板内に凹部３を設け、正方形のゴム板を相互に隣接して上下面が一致するように、突出片（１）を横方向から凹部３に嵌入した場合、突出片１が凹部３と嵌合し突出片１の突起２がゴム板の下面に達するように凹部３を形成しておき、一枚の正方形のゴム板に突出片１と凹部３を各２個存在させ、かつ凹部３入口の下側を下方に拡開していることからなるものを見出すにいたった。
【０００６】
なお、凹部３入口の下側が下方に拡開しているのは、突出片１の嵌入を容易にするためと解体の際、指の挿入を容易にするためである。
【０００７】
組立式ゴムマットを構成するには、組立式ゴムマットの一単位としての正方形のゴム板の凹部３に、組立式ゴムマットの一単位としての正方形のゴム板の突出片１を嵌合し連結していけば所定形状の組立式ゴムマットを得ることができる。
【０００８】
本考案の組立式ゴムマットを撤去収納する場合は、使用状態のゴムマットの一単位の凹部３に手の指を差し込んで少し押し下げて引き、ゴムマットから突出片１を外すように引き出せばよい。
【考案の効果】
【０００９】
本考案の組立式ゴムマットは設置や撤去作業が容易で、設置時の安定性がよく、収納時に嵩張らないので、広く用いられることが予測される。
【考案を実施するための最良の形態】
【００１０】
本考案の組立式ゴムマットは構成された状態で周縁の二辺に突出片１が現れているという特徴があるが、実用上支障となるものではない。図５参照。具体例を以下の実施例で説明する。
【実施例１】
【００１１】
組立式ゴムマットの一単位として、一辺が５００ｍｍ、厚さ１５ｍｍの正方形のゴムマットに対し、突出片１は５０×１５０ｍｍの方形で、突起２は底部が直径２０ｍｍ、頂部が直径１４ｍｍである。ゴムマットの一単位は、ある程度硬質なゴムを使用し、金型により容易に成形することができる。
【産業上の利用可能性】
【００１２】
本考案の組立式ゴムマットは使用効果が充分あるばかりでなく、設置ならびに撤去が容易で、収納にも嵩張らず、運搬が容易なので、建設工事現場の歩行通路等として大いに貢献するものと思われる。
【図面の簡単な説明】
【００１３】
【図１】組立式ゴムマットの一単位の概略説明図
【図２】突出片の短辺に平行で突出片の突起の中心を通る垂直面による断面図
【図３】図２の突出片の断面と嵌合状態を示す凹部の断面図
【図４】突出片の２個の突起の中心位置を通る凹部の垂直断面図
【図５】組立てられたゴムマットの外観図
【符号の説明】
【００１４】
Ａ  組立式ゴムマットの一単位
１  突出片
２  突起
３  凹部
【図１】
0003116536.tif 000003
【図２】
0003116536.tif 000004
【図３】
0003116536.tif 000005
【図４】
0003116536.tif 000006
【図５】
0003116536.tif 000007
(57)【要約】【課題】  カード状とした紙石鹸の綴じ枚数を増減できるとともに、洗面や手洗いをする使用場所に置いて使用するときの使い勝手が良い紙石鹸を提供する。【解決手段】  水溶紙２の少なくとも一つの隅角部に綴じ孔３を設け、複数枚を綴じリング４等の綴じ具で綴じて使用できるようにしたことを特徴とする。【選択図】  図２
0003116551.tif 000002
【実用新案登録請求の範囲】
【請求項１】
水溶紙に石鹸成分を含浸させたカード状の紙石鹸において、前記水溶紙の少なくとも一つの隅角部に綴じ孔を設けたことを特徴とする紙石鹸。
【請求項２】
水溶紙に、キャラクタや絵等の画像が印刷されていることを特徴とする請求項１に記載の紙石鹸。
【考案の詳細な説明】
【技術分野】
【０００１】
本考案は、水溶紙に石鹸液を含浸させた紙石鹸に関する。
【背景技術】
【０００２】
特許文献１（特開平２−８０５００号公報）には、石鹸を塗り付けた複数枚の吸水性シート材を綴本のように綴り、その中から日めくりカレンダのように切り取って使用する携帯用使い捨て石鹸が開示されている。
【０００３】
しかし、これによると、綴じた製本状態となっているので、枚数の補充ができない。また、製品化過程で製本と同様の作業が必要で、製造コストが高くなるとともに、日めくりカレンダの場合と同様に、綴じた部分が切り残しとなり、無駄が生じる。
【０００４】
また、特許文献２（特開２００３−１４７４００号公報）には、水溶性シート材に、石鹸成分と絹粉微粒子と天然香料とを含浸させて香料入り紙石鹸とし、これをカード状として角形袋に入れて携帯したり、長尺物として筒状ケース内に巻回収納して携帯することが開示されている。
【０００５】
しかし、これは携帯には便利であるが、洗面や手洗いをする現実の使用場所での使い勝手はよくない。
【特許文献１】特開平２−８０５００号公報
【特許文献２】特開２００３−１４７４００号公報
【考案の開示】
【考案が解決しようとする課題】
【０００６】
本考案の第１の課題は、カード状とした紙石鹸の綴じ枚数を増減できるとともに、洗面や手洗いをする使用場所に置いて使用するときの使い勝手が良い紙石鹸を提供することにある。
【０００７】
本考案の第２の課題は、装飾性や興趣性もある紙石鹸を提供することにある。
【課題を解決するための手段】
【０００８】
第１の課題を達成するため、本考案は、水溶紙に石鹸成分を含浸させたカード状の紙石鹸において、水溶紙の少なくとも一つの隅角部に、綴じリングの綴じ具で綴じるための綴じ孔を設けたことを特徴とする。
【０００９】
また、第２の課題も達成するため、水溶紙に、キャラクタや絵等の画像が印刷されている。
【考案の効果】
【００１０】
本考案の紙石鹸によれば、カード状の水溶紙の隅角部に、綴じリング等の綴じ具で綴じるための綴じ孔が設けられているので、綴じ枚数を自由に増減できるとともに、綴じリング等で吊しておいて任意の枚数だけ引き取って簡便に使用できる。
【００１１】
請求項２に係る考案によれば、キャラクタや絵等の画像が印刷されていこの綴じ孔３に、公知の綴じ具、例えば綴じリング３を通して複数枚の紙石鹸１Ａを束ねて綴じることができるようになっているので、装飾性や興趣性もある商品価値の高い紙石鹸とすることができる。
【考案を実施するための最良の形態】
【００１２】
次に、本考案の実施例を図面に基づいて詳細に説明する。
【実施例１】
【００１３】
実施例１の紙石鹸１Ａは、図１に示すように、矩形カード状の薄い水溶紙２に石鹸液を含浸させたもので、水溶紙２の４つの隅角部のうちの一つにおいて綴じ孔３が設けられている。そして、図２に示すように、この綴じ孔３に、公知の綴じ具、例えば綴じリング４を通して複数枚の紙石鹸１Ａを束ねて綴じることができるようになっている。
【００１４】
従って、綴じリング４で複数枚を綴じた状態で携帯できるとともに、綴じリング４にて洗面所等に掛け吊りして置くことができる。使用する際には、綴じリング４から必要枚数だけ引きちぎって簡便に使用できる。
なお、綴じ孔３を２以上の隅角部に設けてもよい。
【実施例２】
【００１５】
図３に示す実施例２の紙石鹸１Ｂは、実施例１の構成に加え、水溶紙１にキャラクタや絵等の画像５が印刷されている。その印刷は、石鹸液を水溶紙１に含浸させる前に水溶紙１の表面に施され、石鹸液は印刷が滲まないように水溶紙１の裏面に塗布されている。
【図面の簡単な説明】
【００１６】
【図１】本考案の実施例１の紙石鹸を示す斜視図である。
【図２】その複数枚を綴じリングで綴じた状態の斜視図である。
【図３】本考案の実施例１の紙石鹸を示す斜視図である。
【符号の説明】
【００１７】
１Ａ・１Ｂ  紙石鹸
２  水溶紙
３  綴じ孔
４  綴じリング
５  画像
【図１】
0003116551.tif 000003
【図２】
0003116551.tif 000004
【図３】
0003116551.tif 000005
(57)【要約】【課題】  石鹸液による印刷部分への影響を回避した印刷品質の良い紙石鹸を提供する。【解決手段】  水溶紙の一部分に印刷が施され、その印刷部分２以外の部分に石鹸液が含浸されている。又は、水溶紙の決められた所定範囲内に印刷が施され、その範囲外の部分に石鹸液が含浸されている【選択図】  図１
0003116552.tif 000002
【実用新案登録請求の範囲】
【請求項１】
水溶紙の一部分に印刷が施され、その印刷部分以外の部分に石鹸成分が含浸されていることを特徴とする紙石鹸。
【請求項２】
水溶紙の決められた所定範囲内に印刷が施され、その範囲外の部分に石鹸成分が含浸されていることを特徴とする紙石鹸。
【考案の詳細な説明】
【技術分野】
【０００１】
本考案は、印刷を施した紙石鹸に関する。
【背景技術】
【０００２】
特許文献１（特開２００３−８２３９７号公報）には、印刷を施した紙石鹸が開示されている。この紙石鹸は、カルボキシメチルセルロースアルカリ塩と木材パルプとからなる水溶紙に、ポリビニルピロリドンとセラックとからなるビヒクルに法定色素を添加してなるインク組成物を用いてフレキソ印刷等により印刷した後、ロール状に巻回された水溶紙を塗工槽内に通過させて液状石鹸を塗工し、過剰な液状石鹸をローラで絞り除去するとともに、熱乾燥したものである。
【０００３】
しかし、これによると、水溶紙を印刷後にいったん巻回してから引き出して塗工槽内に通過させ、つまり引き出した水溶紙を液状石鹸中に浸漬することで、液状石鹸を印刷面を含む水溶紙の全域に塗工するため、ビヒクルに法定色素を添加したインク組成物を用いても、液状石鹸の塗工工程でインク組成物が溶解して印刷が滲んだり、水溶紙そのものが溶解してしまう問題がある。また、液状石鹸の塗工後、過剰な液状石鹸をローラで絞り除去する際には、塗工工程で弱っている水溶紙に機械的な外力を加えることになるため、ここでも、印刷が滲んだり、水溶紙が分散してしまう問題があり、商品となり得る印刷入り紙石鹸を得ることは非常に困難である。
【特許文献１】特開２００３−８２３９７号公報
【考案の開示】
【考案が解決しようとする課題】
【０００４】
本考案は、石鹸成分による印刷部分への影響を回避した印刷品質の良い紙石鹸を提供することにある。
【課題を解決するための手段】
【０００５】
本考案の紙石鹸は、水溶紙の一部分に印刷が施され、その印刷部分以外の部分に石鹸成分が含浸されている。
水溶紙の決められた所定範囲内に印刷が施され、その範囲外の部分に石鹸成分が含浸されていてもよい。
なお、本考案において「水溶紙」とは、素材が水溶性の紙に限定されるものではなく、それと同等のシート状素材も含めて言うものとする。
【考案の効果】
【０００６】
本考案の紙石鹸によると、水溶紙の一部分に印刷が施され、その印刷部分以外の部分に石鹸成分が含浸されているので、又は、水溶紙の決められた所定範囲内に印刷が施され、その範囲外の部分に石鹸成分が含浸されているので、製造過程で印刷が滲むことがないとともに、水溶紙の溶解や分散を招くこともなく、品質の良い印刷入り紙石鹸として安価に提供できる。
【考案を実施するための最良の形態】
【０００７】
次に、本考案の実施例を図面に基づいて詳細に説明する。
【実施例１】
【０００８】
図１に示すように、実施例１の紙石鹸１Ａは、薄い水溶紙を所要のサイズに断裁して１枚の紙片としたもので、キャラクタや文字や絵や図形などを水溶紙３の表面に印刷し、その印刷部分２以外の部分に石鹸成分を含浸させたものである。
【０００９】
その製造は、例えば次のようにして行われる。
図２に示すように、巻回されてロール紙となっている薄い水溶紙３を引き出し、その表面３ａに図示しない印刷機でインクにより同じ印刷を繰り返しながら、印刷済み水溶紙３Ａとして巻き取る。その印刷は、グラビア印刷、オフセット印刷、フレキソ印刷等の一般的な印刷法でよいが、使用するインクは、水溶紙３が薄くて水溶性であることから、速乾性を備え、しかも、この後で含浸させる石鹸液で印刷が滲まないように、石鹸液に浸食されない耐石鹸性を備えたものが良い。
【００１０】
同じ印刷を繰り返す各印刷部分２は、印刷済み水溶紙３Ａを次工程の石鹸液含浸後に所要のサイズに断裁して紙片である紙石鹸とするため、各紙片に収まる範囲とする。
【００１１】
次に、図３に示すように、巻回された印刷済み水溶紙３Ａを引き出しながら印刷部分２をマスキング２Ａして、水溶紙３の印刷部分２以外の部分に石鹸液を含浸させる。その含浸は、吹き付けによる方法でも、塗布による方法でもよい。
【００１２】
石鹸液含浸後の水溶紙３Ｂは、巻き取らずに引き延ばした状態のまま、必要に応じて乾燥処理を行った直後に所要のサイズに断裁する。これにより、図１に示した紙石鹸１Ａが得られる。
【実施例２】
【００１３】
図４は本考案の実施例２の紙石鹸１Ｂを示す。この紙石鹸１Ｂは、水溶紙３の決められた所定範囲内（鎖線で示す区画内）４に、キャラクタや文字や絵や図形などを印刷（印刷部分２）し、その範囲外の部分に石鹸液を含浸させたものである。
【００１４】
その製造は、例えば次のようにして行われる。
図５に示すように、巻回されてロール紙となっている薄い水溶紙３を引き出し、その表面３ａの予め決められている範囲内（以下、印刷範囲４と記す）にだけ図示しない印刷機で同じ印刷を繰り返しながら、印刷済み水溶紙３Ａとして巻き取る。この場合も、使用するインクは、速乾性を備え、しかも、石鹸液に浸食されない耐石鹸性を備えたものが良い。
【００１５】
印刷範囲４は、印刷済み水溶紙３Ａを次工程の石鹸液含浸後に所要のサイズに断裁して紙片である紙石鹸とするため、各紙片に収まる範囲とする。
【００１６】
次に、図６に示すように、水溶紙３の印刷範囲４を避けてそれ以外の部分に石鹸液を含浸させる。その含浸は、吹き付けによる方法でも、塗布による方法でもよい。
【００１７】
石鹸液含浸後の水溶紙３Ｂは、巻き取らずに引き延ばした状態のまま、必要に応じて乾燥処理を行った直後に所要のサイズに断裁する。これにより、図４に示した紙石鹸１Ｂが得られる。
【図面の簡単な説明】
【００１８】
【図１】本考案の実施例１の紙石鹸を示す斜視図である。
【図２】その製法における印刷工程を示す斜視図である。
【図３】石鹸液の含浸工程、水溶紙の断裁工程を示す斜視図である。
【図４】本考案の実施例２の紙石鹸を示す斜視図である。
【図５】その製法における印刷工程を示す斜視図である。
【図６】石鹸液の含浸工程、水溶紙の断裁工程を示す斜視図である。
【符号の説明】
【００１９】
１Ａ・１Ｂ  紙石鹸
２  印刷部分
２Ａ  マスキング
３  水溶紙
３ａ  表面
３Ａ  印刷済み水溶紙
３Ｂ  石鹸液含浸後の水溶紙
４  印刷範囲
【図１】
0003116552.tif 000003
【図２】
0003116552.tif 000004
【図３】
0003116552.tif 000005
【図４】
0003116552.tif 000006
【図５】
0003116552.tif 000007
【図６】
0003116552.tif 000008
(57)【要約】      （修正有）【目的】廃材や建物の解体材等の焼却処分及び炭化処理可能な構造とすることで、解体物を再利用することができる製炭兼用焼却炉を得る。【解決手段】焼却物を連続投下するための投入口（外気者段装置付扉６）を取り付けた製炭時の前面開閉扉（正面扉３）を有し、炉室（炉本体１）内に数段の装着脱可能な穴付き，穴無し炭原材料受板（穴付炭材料台１３、炭材料台１４）を装着することで、製炭兼用焼却炉を構成する。【選択図】    図１
0003116560.tif 000002
【実用新案登録請求の範囲】
【請求項１】
外気遮断装置付炉前面開閉扉
【請求項２】
炉内に数段の装着脱可能な穴付、穴無し炭原材料受板を装着した構造
【考案の詳細な説明】
0003116560.tif 000003
0003116560.tif 000004
0003116560.tif 000005
【図１】
0003116560.tif 000006
【図２】
0003116560.tif 000007
【図３】
0003116560.tif 000008
【図４】
0003116560.tif 000009
【図２】
0003116560.tif 000010
【図６】
0003116560.tif 000011
【図７】
0003116560.tif 000012
【手続補正書】
【提出日】平成16年5月17日(2004.5.17)
【手続補正２】
【補正対象書類名】実用新案登録請求の範囲
【補正対象項目名】全文
【補正方法】変更
【補正の内容】
【実用新案登録請求の範囲】
【請求項１】
焼却物を連続投入する外気遮断装置付扉です
【請求項２】
製炭時、炉室内に数段の装着脱可能な穴は、穴無し、炭原材料受板を装着した構造です
【手続補正書】
【提出日】平成16年9月24日(2004.9.24)
【手続補正１】
【補正対象書類名】実用新案登録請求の範囲
【補正対象項目名】全文
【補正方法】変更
【補正の内容】
【実用新案登録請求の範囲】
【請求項１】
炉室内に数段の装着脱可能な穴付、穴無しの炭原材料の受板を装着した構造です
【手続補正書】
【提出日】平成17年4月4日(2005.4.4)
【手続補正１】
【補正対象書類名】明細書
【補正対象項目名】全文
【補正方法】変更
【補正の内容】
【考案の詳細な説明】
【技術分野】
【０００１】  本考案は、廃材や建物の解体材等を焼却処理するための焼却炉に関する。
【背景技術】
【０００２】  従来の焼却炉は、廃材や建物の解体材等を焼却処理するためのみの構造であった。
【考案の開示】
【考案が解決しようとする課題】
【０００３】  本考案は、廃材や建物の解体材等を焼却処分及び炭化処理可能な構造とすることで、解体物を再利用することができる製炭兼用焼却炉を提供することを目的としている。
【課題を解決するための手段】
【０００４】  本考案の製炭兼用焼却炉は、焼却物を連続投下するための投入口（投入口扉６）を取り付けた製炭時の前面開閉扉（正面扉３）を有し、炉室内に数段の装着脱可能な穴付き，穴無し炭原材料受板を装着した構造である。
【考案の効果】
【０００５】  現在する焼却炉では、解体材、木葉建築残材料等全部焼却しておりました。
本考案によれば、製炭と一部製炭の燃料に利用し有効利用することにより、炭製品が出来、捨てていた処分材を再利用でき、利益に換えることが出来る。
【実施例】
【０００６】  本考案は廃材や建物の解体材・一般木材・竹等捨てたり焼却処分にしていましたが、炭化することで再利用する目的で考案されたものです。【０００７】  すなわち、炭製造と廃材、ゴミ等の焼却処分を行う事を目的に考案され、上部に炭にする材料を置き、下方に焼却処分材料を置き、下方より数時間燃焼し、上方へ加熱されて下方が燃え尽き後、数時間後に上部が冷えて炭となる装置である。【０００８】  焼却時はダイオキシン等条例に合致した設備は平成１４年１２月施行に沿ったものです。【０００９】  焼却炉として使用中は通常下部は閉じておりますが、本考案の焼却炉は製炭状態時は前面扉を全開状態が可能にした合体型です。【００１０】  扉を開放した上部に炭原材料を置き、下部に火種となる焼却物を置き、着火の上部を閉め外部より送風機にて強制燃焼させ数時間後に取り出します。
【図面の簡単な説明】
【００１１】
【図１】本考案の実施例の製炭兼用焼却炉の側面説明図である。
【図２】正面扉３が開放状態における製炭兼用焼却炉の正面説明図である
【図３】正面扉３の側面説明図である。
【図４】焼却炉として使用時の投入口扉６が開放状態における正面扉３の正面説明図である。
【図５】製炭兼用焼却炉の内部構造を示す説明図である。
【図６】（ａ）は穴付炭材料受台１３の説明図、（ｂ）は炭材料受台１４の説明図である。
【符号の説明】
【００１２】  １  炉本体
２  ２次燃焼室
３  正面扉
４  エントツ
５  送風用ブロワー
６  外気遮断装置付扉（投入口扉）
７  外気遮断板
８  炭出し入れ扉
９  空気口扉
１０  温度センサー
１１  温度計
１２  カサ
１３  穴付炭材料受台（穴付き炭原材料受板）
１４  炭材料受台（穴無し炭原材料受板）
１５  空気取り入れパイプ
１６  ロストル
１７  炭材料受け金具
【手続補正２】
【補正対象書類名】図面
【補正対象項目名】全図
【補正方法】変更
【補正の内容】
【図１】
0003116560.tif 000013
【図２】
0003116560.tif 000014
【図３】
0003116560.tif 000015
【図４】
0003116560.tif 000016
【図５】
0003116560.tif 000017
【図６】
0003116560.tif 000018
(57)【要約】      （修正有）【課題】誰もがひと目で成長の過程を正確に確認することができ、成長の喜びを味わえる、等身大の人物が掲載されている身長計を提供する。【解決手段】人物を撮影時の身長に拡大し、それをデザイン上の形状の目盛りに組み込み、拡大した人物の名前、誕生時の日時、身長、体重、撮影時の日時等、身長の記載された身長計。【選択図】図１
0003116510.tif 000002
【実用新案登録請求の範囲】
【請求項１】
上下方向に人の身長を測定する目盛りを表示したシート状の身長計をデザイン上で定めた任意形状に形成し、前記人の身長を測定する目盛りに対応させた位置に、撮影された時の被撮影人物の身長に合わせて、該被撮影人物の画像を等身大に拡大して作成した写真を身長計に組み込み若しくは貼り付け、該写真に近接させて該被撮影人物の名前、撮影した時の日付や撮影意図、身長の記録等を掲載すると共に、該被撮影人物の誕生時の日付、身長、体重等を掲載し、更に、被撮影人物に関連する家族等、他の人物の身長の掲載もおこなえるようにし、該身長計を壁掛けタイプ又は床置きタイプに構成したことを特徴とする等身大人物付き身長計。
【請求項２】
該被撮影人物の画像を等身大に拡大して作成した写真の表現部分を立体模型にして身長計に組み込みしたことを特徴とする請求項１に記載の等身大人物付き身長計。
【請求項３】
身長計の下側に合わせて、等身大写真若しくは立体模型の下部を揃えて身長計に組み込んだことを特徴とする請求項１及び請求項２に記載の等身大人物付き身長計。
【考案の詳細な説明】
【技術分野】
【０００１】
本考案は、人の身長を計る身長計に、撮影された時の身長に合わせて、人物を等身大に拡大した写真又は模型を組み込んだ身長計に関するものである。
【背景技術】
【０００２】
上記身長計としては、例えば、特許文献１の記録ができ写真が飾れる身長計に示されるように身長記録とその時の写真を飾ることができるもの、特許文献２の家庭用身長計及び特許文献３の身長測定具に示されるように目盛りの横に透明袋をつけたものなどが提案されているが、等身大人物の写真を掲示したものは見当たらない。
【特許文献１】特開２００３−３３３３４号公報
【特許文献２】登録実用新案第３０３７１８５号公報
【特許文献３】登録実用新案第３０８５３６６号公報
【考案の開示】
【考案が解決しようとする課題】
【０００３】
従来の身長計で子供の成長を計り記録を残しても、誰もその当時の１ｃｍや１０ｃｍ等の正確な長さは分かっていない。そのため、誕生時、また、それからの成長の過程が実像として見えにくかった。
【０００４】
本考案が前述の状況を鑑み、解決しようとするところは、誰もがひと目で成長の過程を正確に確認する事が出来、なおかつ成長の喜びを味わえるような身長計を提供する事にある。
【課題を解決するための手段】
【０００５】
本考案は、前述の課題解決のため、第一に、上下方向に人の身長を測定する目盛りを表示したシート状の身長計をデザイン上で定めた任意形状に形成し、前記人の身長を測定する目盛りに対応させた位置に、撮影された時の被撮影人物の身長に合わせて、該被撮影人物の画像を等身大に拡大して作成した写真を身長計に組み込み若しくは貼り付け、該写真に近接させて該被撮影人物の名前、撮影した時の日付や撮影意図、身長の記録等を掲載すると共に、該被撮影人物の誕生時の日付、身長、体重等を掲載し、更に、被撮影人物に関連する家族等、他の人物の身長の掲載もおこなえるようにし、該身長計を壁掛けタイプ又は床置きタイプに構成したことを特徴とする等身大人物付き身長計とした。
【０００６】
第二に、前記の被撮影人物の画像を等身大に拡大して作成した写真の表現部分を立体模型にして身長計に組み込みしたことを特徴とする。
第三に、身長計の下側に合わせて、等身大写真若しくは立体模型の下部を揃えて身長計に組み込みしたことを特徴とする。
【考案の効果】
【０００７】
撮影された時の身長に合わせて、人物を等身大に拡大し、身長計に組み込むことにより、今までは頭の中で成長したというイメージしか描けなかったが、実際に小さい頃の写真を、その撮影時の身長にあわせ、等身大に拡大して身長計に組み込むことにより、現在の身長と、撮影時の身長を実際の目で見比べる事ができ、成長の喜びをより一層味わう事ができる。
【０００８】
また、成長の喜びを回りの人達皆で味わえるように、等身大の写真が掲載されている本人の成長の目標になるように、他の人物の身長も記載しておく。
さらに、等身大の写真の表現部分を立体模型にしてあると更に喜びが味わえ、写真や立体模型を身長計の下に揃えて組み込むことにより、身長計の目盛りに対応した表示が容易にできる利点がある。
【考案を実施するための最良の形態】
【０００９】
以下、実施例に関する図面に基づいて本考案を詳細に説明する。
図1に示すように、デザイン上で定めた形状１に、人の身長を測定する目盛り２と、撮影された時の身長に合わせて、人物を等身大に拡大３し、それを組み込み、その人物の名前４、誕生時の日時、身長、体重５、撮影時の日時等と身長の記録を掲載６。また、他の人物の身長の掲載７も可能にしてある。
【実施例】
【００１０】
図１に本考案の一実施例を示す。
同図において、１は合成繊維製のシート材若しくは写真紙をラミネート処理されたシート材等で形成された身長計で、上下方向に人の身長を測定する目盛り２が表示されており、その外形をデザイン上で定めた任意形状に形成している。前記人の身長を測定する目盛り２に対応させた位置に、撮影された時の被撮影人物３、例えば子供の身長６に合わせて、該被撮影人物３の画像をコンピュータ処理等により等身大に拡大処理して作成した写真３を身長計に印刷組み込み若しくは貼り付ける。このとき、身長計の下側に合わせて等身大写真の下部を揃えて身長計に組み込んで、写真と目盛りとの一体感を現出している。また、該写真３に近接させて該被撮影人物の名前４、撮影した時の日付や時刻、撮影意図、身長の記録等を掲載６すると共に、該被撮影人物３の誕生時の日付、身長、体重等を目盛り位置に対応して掲載５し、更に、被撮影人物に関連する家族等、他の人物の身長の掲載７も目盛り位置に対応させて顔写真その他のスナップ写真等と共に表示をおこなえるようにし、該身長計１を壁掛けタイプ又は床置きタイプに構成してある。
【００１１】
これらの構成により、被撮影人物３の紐落しの時とか、毎年の誕生日、入学日、卒業日の時の身長を測定してその時の計測状況を、図１に例示して示すようにその都度目盛り２の横に対応して表示掲載して記録することが可能であり、自分の成長度合いを自分の小さい時や家族の身長などを自分自身で確認するとか、或いは家族が子供の成長度合いを確認するなど色々な場面に応用できて喜びを増すことができる。
【産業上の利用可能性】
【００１２】
図１では、材質を合成繊維を使用し、紐を取り付けた、壁掛けタイプを示したが、材質は合成樹脂に限るものではなく、形状も四角形でなくてもよい。また紐を取り付けた、壁掛けタイプ以外にも、直接、壁に貼り付けるタイプ、ガラス等に貼り付けるタイプであってもよいし、写真を組み込むのではなく、立体の模型を組み込むのでもよい。
【図面の簡単な説明】
【００１３】
【図１】身長計の正面図である。
【符号の説明】
【００１４】
１．身長計
２．目盛り
３．人物写真
【図１】
0003116510.tif 000003
(57)【要約】【課題】  本考案はホルダースタンドに巾調整ができる機能を設け、メニューブックや書類などの厚さに応じて変更自在、また、ホルダースタンド本体に簡易メニューや広告物などを両面に差替え表示できる。【解決手段】  本考案は、透明プラスチック素材など２へ簡易メニューや広告物などを挿入表示し、ネジ足３ａと５ａのネジ棒にて、２と調整板４ａより形成されるホルダー部分を挟み込んで絞める。３は簡易メニューや広告物のズレや落下を防ぐ機能も兼ね、４は複数の板構成により、２との組合せで無駄なくホルダー巾を変更でき役立つ。【選択図】  図２
0003116569.tif 000002
【実用新案登録請求の範囲】
【請求項１】
ポップスタンド本体に巾調整ができるホルダー機能を設け、メニューブックや書類などの厚さに応じて変更自在にしたところを特徴とする、ホルダー巾調整機能付ポップスタンド
【請求項２】
プラスチックなどの透明な素材を使用し、簡易メニューや案内書類などを挟み込み表示が出来る機能を設け、ネジ込み調整によって容易に差替え、ズレや落下を防ぐ機能付ポップスタンド
【考案の詳細な説明】
【技術分野】
【０００１】本考案はポップスタンド本体にホルダー巾調整機能を設けた、ポップスタンドに関するものである。
【背景技術】
【０００２】インターネットカフェ・ファミリーレストラン・カラオケボックスなどの店舗において、客席にメニューブックなどの書類を常時置いておく事、もしくは都度の移動、また、店舗によっては複数のメニューブックや案内書類の使用など、別の場所や数ヶ所に分けて保管していた。
【考案の開示】
【考案が解決しようとする課題】
【０００３】メニューブックや案内書類などの保管場所を常時客席に置いておくことで、従業員の煩雑な動きを解決しようとするものである。客席に常時置いておく事が、追加オーダーへの販売促進につながり、且つポップ効果を得ることができる。
【課題を解決するための手段】
【０００４】本考案は、スタンド本体に案内機能、及びホルダー機能を設けたもので、小スペースでポップ表示、メニューブックなどを収納できる。また、ホルダー部分の調整板を幾つかに分けて厚み調整機能を設け、組み合わせを変更することにより、複数のメニューブックなどの厚みに対応できるようにし、問題点を解決している。
【考案の効果】
【０００５】上述のように、本考案のホルダー巾調整機能付ポップスタンドは、本体両面に簡易メニューや広告物などを差替え表示ができる。また、ホルダー部分の調整機能を設けたことにより、店舗ごとのメニューブックや案内書類などの複数の厚さに対応して役立つ。差替え表示が可能なので、環境にやさしい商品である。
【考案を実施するための最良の形態】
【０００６】調整板とポップ掲示板を固定しているネジ足をはずし、ポップ掲示板の中へ簡易メニューや広告などの書類を挿入する。【０００７】ホルダー使用する際の適当な巾へ調整板の数量を選定し、調整板とポップ掲示板との組み合わせを考えて、ネジ足を絞めて留める。
【実施例】
【０００８】以下、添付図面に従って一実施例を説明する。２は透明プラスチック素材等を使用し、簡易メニューや案内広告物などを両面に各種表示。３ａは本体のネジ足であると同時に、メニューや広告物のズレや落下を防ぐ絞め込み式である。【０００９】４は複数の調整板で構成され、ホルダー使用の巾にあわせて４の板数を選定し、２のポップ掲示板よりも内側もしくは外側へ移動することにより、ホルダー巾を変更する。則ち、２と４の組合せで無駄なくホルダー巾を調整できる。
【図面の簡単な説明】
【００１０】
【図１】本考案のホルダー巾調整機能付ポップスタンドの実施例を示す正面図である
【図２】本考案のホルダー巾調整機能付ポップスタンドの実施例を示す断面図、及び側面図である。
【符号の説明】
【００１１】１  ホルダー巾調整機能付ポップスタンド
２  ポップ掲示板
３  ネジ足
４  調整板
５  ネジ棒
【図１】
0003116569.tif 000003
【図２】
0003116569.tif 000004
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
ポップスタンド本体に巾調整ができるホルダー機能を設け、メニューブックや書類などの厚さに応じて変更自在にしたところを特徴とする、ホルダー巾調整機能付ポップスタンド
【手続補正２】
【補正対象書類名】明細書
【補正対象項目名】０００４
【補正方法】変更
【補正の内容】
【０００４】本考案は、スタンド本体にホルダー機能を設けたもので、小スペースでポップ表示、メニューブックなどを収納できる。また、ホルダー部分の調整版を幾つかに分けて厚み調整機能を設け、組み合わせを変更することにより、複数のメニューブックなどの厚みに対応できるようにし、問題点を解決している。
【手続補正３】
【補正対象書類名】明細書
【補正対象項目名】０００５
【補正方法】変更
【補正の内容】
【０００５】上述のように、本考案のホルダー巾調整機能付ポップスタンドは、ホルダー部分の調整機能を設けたことにより、店舗ごとのメニューブックや案内書類などの複数の厚さに対応して役立つ。差替え表示が可能なので、環境にやさしい商品である。
(57)【要約】      （修正有）【課題】収納ボックスをコタツ直近で使用できて、すぐに利用できるようにする。【解決手段】収納ボックスに平板を蝶番等で取り付け、コタツの天板の下に差し込み、携帯電話及びリモコン等を収納することにより、天板の上が整理され、探したり、紛失することが無くなる。【選択図】図２
0003116565.tif 000002
【実用新案登録請求の範囲】
【請求項１】
携帯電話やリモコンを収納するボックスに、蝶番等で平板を取り付け、平板をコタツの天板の下に差し込み使用する。
【考案の詳細な説明】
【技術分野】
【０００１】  本考案は、ボックスに平板を取り付け、携帯電話及びリモコン等を収納し、コタツ等で使用する改良収納ボックスである。
【背景技術】
【０００２】  通常携帯電話は、ポケットに入れたりバック等に入れている。又リモコンはコタツの周辺にないことが多く、コタツに入り使用するときは、天板の上に置いている。
【考案の開示】
【考案が解決しようとする課題】
【０００３】  コタツの天板の上に置いていると邪魔になったり、下に落ちて探すことが多い。本ボックスを使用することにより、天板の上が整理され、しかも身近でとりあつかいが容易。
【課題を解決しようとするための手段】
【０００４】  本考案は、収納ボックスに平板を蝶番等で取り付けて、折り曲げてコタツの天板の下に差し込み使用することにより、身近の利便性と紛失防止となる。
【考案の効果】
【０００５】  上述のように、天板上が整理され、しかも探すこともなくすぐに使用できる。
【考案を実施するための最良の形態】
【０００６】  収納ボックスに平板を取り付け、折り曲げて使用することにより、天板下への差込みも簡単で邪魔にならなず、収納時も折り畳んで場所を取らない。
【実施例】
【０００７】  以下、添付図面に従って一実施図を説明する。素材は木製又はプラスチック等で製作し、木製の２の部分は蝶番で、プラスチック等の２の部分は薄くするか筋を入れて折り曲げる。３は平板で、コタツの天板の下に差し込む部分。４は携帯電話及びリモコン等を収納するボックスである。【０００８】  本考案の実施例は上述のごとき構成からなるものであるから、携帯電話及びリモコンの収納は勿論、身の回りの小物も収納できる。
【図面及び写真の簡単な説明】
【０００９】
【図１】
本考案の携帯電話及びリモコン等の収納ボックス「おそばに」の正面図である。
【図２】
本収納ボックスの側面図である。
【写真１】
本考案の携帯電話及びリモコン等の収納ボックス「おそばに」の正面である。
【写真２】
本収納ボックスの側面である。
【写真３】
本収納ボックスをコタツに取り付けもの。
【符号の説明】
【００１０】１収納ボックス本体
２蝶番又は、薄く折り曲げる部分
３平板
４携帯電話及びリモコン等の収納ボックス
５本収納ボックスをコタツに取り付けたところ
【図１】
0003116565.tif 000003
【図２】
0003116565.tif 000004
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
携帯電話やリモコンを収納するボックスに、蝶番等で平板を取り付け、平板をコタツの天板の下に差し込み使用することを特徴とする収納ボックス（通称おそばに）
【手続補正２】
【補正対象書類名】明細書
【補正対象項目名】０００１
【補正方法】変更
【補正の内容】
【０００１】本考案は、ボックスに平板を取り付け、携帯電話及びリモコン等を収納し、コタツ等で使用する収納ボックス（通称おそばに）である。
【手続補正３】
【補正対象書類名】明細書
【補正対象項目名】０００４
【補正方法】変更
【補正の内容】
【０００４】本考案は、収納ボックスに平板を蝶番等で取り付けて、折り曲げてコタツの天板の下に差し込み使用することにより、身近の利便性と携帯電話及びリモコン等の紛失防止になる。
【手続補正４】
【補正対象書類名】明細書
【補正対象項目名】０００７
【補正方法】変更
【補正の内容】
【０００７】以下、添付図面に従って一実施図を説明する。素材は木製又はプラスチック等で製作し、木製の２の部分は蝶番で、プラスチック等で作製する場合の２の部分は薄くするか筋を入れて折り曲げる。３は平板でコタツの下に差し込む部分。４は携帯電話及びリモコン等を収納するボックスである。
【手続補正５】
【補正対象書類名】明細書
【補正対象項目名】０００９
【補正方法】変更
【補正の内容】
【０００９】
【図１】本考案の携帯電話及びリモコン等収納ボックス（通称おそばに）の正面図である。
【図２】収納ボックス（通称おそばに）の側面図である。
【図３】本考案の携帯電話及びリモコン等収納ボックス（通称おそばに）の正面図である。
【図４】収納ボックス（通称おそばに）の側面図である。
【図５】収納ボックス（通称おそばに）をコタツに取り付けたところ。
【手続補正６】
【補正対象書類名】図面
【補正対象項目名】全図
【補正方法】変更
【補正の内容】
【図１】
0003116565.tif 000005
【図２】
0003116565.tif 000006
【図３】
0003116565.tif 000007
【図４】
0003116565.tif 000008
【図５】
0003116565.tif 000009
(57)【要約】      （修正有）【課題】本考案はボトルおよび一升瓶等の内容液を均一にして短時間で抽出させる。【解決手段】本考案はボトル口部への装着自在な外周面を凹凸状にした装着部を有する装置本体に、液出し口と吸気口を形成した。【選択図】図２
0003116561.tif 000002
【実用新案登録請求の範囲】
【請求項１】
枠材に固定の上蓋と底蓋の一部又は全部を発光ダイオードで形成し、保冷材に各種食材を収容する皿を重合しこれらを棚上に配設して成る移動携帯式の冷蔵庫。
【考案の詳細な説明】
【技術分野】
【０００１】  本考案は、保冷剤に各種食材を収容する皿を組み合わせたことで食材の品質の低下を防止すると共に、宴席等へ自在に持ち運び可能な移動携帯式の冷蔵庫である。
【背景技術】
【０００２】  従来において、各種の食材の鮮度低下を防止するためには、厨房等に設置した冷蔵庫に収容しておき、必要に応じて取り出し使用しているのが実情である。
然し料亭等の多くの部屋で提供する場合、例えば調理加工したフグ刺しを盛り付けた器をその都度に厨房より運ぶのは手数がかかると共に鮮度の低下もきたすことになる。
また厨房に設置された冷蔵庫に収納できない調理済みの皿に盛り付けられたフグは調理台に放置されることになり、鮮度の低下は免れない。
このことは各種の魚介類、肉類、果物、デザート及び野菜等についても同様である。
【考案の開示】
【考案が解決しようとする課題】
【０００３】  本考案は、移動可能にして簡単な構成で食材の品質低下を防止することができる。
【課題を解決するための手段】
【０００４】  本考案は、上蓋と底蓋を発光ダイオードで形成し、食材を収容する皿を保冷剤に載置し移動自在にしたことにより、従来の欠点を解決するものである。
【考案の効果】
【０００５】  本考案は、上蓋と底蓋を発光ダイオードで形成したことで、製品全体のフアッション性もあって美観を高めることになる。また小型化したことにより、移動携帯が可能となり食材を例えば宴席のそばに置くことでその都度厨房までとりに行く面倒さがなくなり、しかも保冷剤を用いたことによって食材は鮮度等品質の低下をきたすことがなく、おいしい料理を提供できる等、多くの利点を有する。
【実施例】
【０００６】  本考案の実施例を図面で説明すると、図１は冷蔵庫の全体を示すもので開閉自在な扉１を磁石２で閉じた状態である。【０００７】  図２は扉１を開いた状態を示し、枠３に固定された上蓋４と底蓋５の一部又は全部が発光ダイオードで形成されている。この上蓋４には移動携帯時に便利なように把手４Ａが設けられている。
また枠３内には棚６が段設されており、この棚６に保冷剤７と食材を収容する皿８を重合載置する。【０００８】  図３は保冷剤７と皿８を分離した状態を示し、該保冷剤７の中央には上下方向に保冷効果を高めるための孔７Ａを形成し、また皿８の下部には前記の保冷剤７の孔７Ａに嵌合して安定的に重合載置するための凸部８Ａが形成されている。
尚、この考案の保冷剤７は保温材にしてもよく、その場合は保温庫として利用できる。
【図面の簡単な説明】
【０００９】
【図１】  本考案冷蔵庫の斜視図である。
【図２】  本考案冷蔵庫の扉を開いた状態の斜視図である。
【図３】  本考案保冷剤と皿を分離した斜視図である。
【符号の説明】
【００１０】３、          枠材
４、          上蓋
５、          底蓋
６、          棚
７、          保冷材
８、          皿
【図１】
0003116561.tif 000003
【図２】
0003116561.tif 000004
【図３】
0003116561.tif 000005
(57)【要約】      （修正有）【課題】開閉が便利な雨戸を提供する。【解決手段】雨戸２と雨戸３、雨戸３と雨戸４を直径１ミリ、長さ雨戸巾＋１００ミリのワイヤーを雨戸開閉つまみ横桟に外側より１００ミリか  雨戸たて枠の下より９００ミリの位置に動くように取り付ける。開閉時に戸車にワイヤーが絡む事もなく、閉めるときにセット、開けるときリセットなど手をかけずに収納できる、開ける時、雨戸  ワイヤー  雨戸となるので引っ張り力も一寸楽に開けられる。【選択図】図１
0003116567.tif 000002
【実用新案登録請求の範囲】
【請求項１】
３枚以上の雨戸を開けるとき３枚目以後の雨戸には手が届かず手の届く所まで移動して戸袋側に雨戸を送り、戻って戸袋に収納するが、閉める時と同様１ヶ所で全雨戸を収納する為、ワイヤーにて連結した機構。
【考案の詳細な説明】
【図１】
0003116567.tif 000003
【図２】
0003116567.tif 000004
【図３】
0003116567.tif 000005
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
３枚以上の雨戸があり、２枚目雨戸以後の隣り合わせの雨戸を直径１ミリ、長さ１０００ミリの台付ワイヤーで連結し、台付ワイヤーを取り付けたまま収納する常時ワイヤー連結雨戸。
【手続補正２】
【補正対象書類名】明細書
【補正対象項目名】全文
【補正方法】変更
【補正の内容】
【考案の詳細な説明】
【技術分野】
【０００１】雨戸を引き寄せるのに軟弱生、張力、耐久性を持つステンレス台付ワイヤーを使用する。台付ワイヤーで連結する事により雨戸を開けるとき、雨戸１はそのまま戸袋に収納し、雨戸２を戸袋に収納すると雨戸３が雨戸２の在った所まで引き寄せられる雨戸３を戸袋に収納すると雨戸４が雨戸２の在った所に引き寄せる。戸袋の中に、台付ワイヤーを取り付けたまま収納するためワイヤー長を１０００ミリ（戸巾＋１００ミリ）で「つ」の字のように雨戸の縁をワイヤーが回るため戸袋内で絡むこともなく収納出来る。【０００２】雨戸を閉めたとき雨戸４と雨戸３、雨戸３と雨戸２に取り付けたワイヤーは、アルファベットの「Ｕ」の字のように下垂しますが、下端が雨戸レール、戸車まで届かずワイヤーは絡むことがない。【０００３】４枚構成雨戸を開けるときに雨戸２、３、４、を１度に引き寄せる事なく  雨戸、ワイヤー空間、雨戸、ワイヤー空間、雨戸となり引張力を緩和出来る。【０００４】３枚構成雨戸では台付ワイヤーは１本、
４枚構成雨戸では台付ワイヤーは２本
５枚構成雨戸では台付ワイヤーは３本と増える。
【図面の簡単な説明】
【０００５】
【図１】４枚構成雨戸全体  屋内正面図  雨戸を閉めた状態を、屋内から見た正面図
【図２】台付ワイヤー及び取り付けねじ図  直径１ミリ、全長１０００ミリの台付ワイヤー  取り付けねじ、４×１０ミリ、座金４ミリ
【図３】台付ワイヤー取り付け位置  屋内正面図  （Ａ）雨戸２と雨戸３、雨戸３と雨戸４の相対する面に雨戸開閉用つまみ横桟に縦枠より１００ミリ位置に台付ワイヤーを取り付ける。  （Ｂ）つまみ横桟の無い雨戸は、相対する縦枠に雨戸の下から９００ミリ上の位置の内側に台付ワイヤーを取り付ける。
【符号の説明】
【０００６】１、２、３、４雨戸。
５戸袋。
６開閉用つまみ横桟。
７雨戸縦枠。
８台付ワイヤー。
９ねじ。
１０座金。
【手続補正３】
【補正対象書類名】図面
【補正対象項目名】全図
【補正方法】変更
【補正の内容】
【図１】
0003116567.tif 000006
【図２】
0003116567.tif 000007
【図３】
0003116567.tif 000008